(57)【要約】掛け金錠はドアに取り付けられるケーシングを有し、このケーシングがドアフレームに取り付けられる固定構造の上に位置しシリンダー錠がケーシングを固定構造に施錠可能となる第一位置と、シリンダー錠を開錠した場合にドアが自由に開け閉めできるようにケーシングを回転可能に動かすことができる第二位置との間をケーシングが移動できるように回転可能に取り付けられている。
2005506480.tif 000002
【特許請求の範囲】
【請求項１】
施錠位置において隣接する構造物に関連する第一、第二基材の間に取り付ける錠であって、前記錠は、
ａ）前記第一基材に取り付けられる取り付け構造と、
ｂ）前記取り付け構造上に取り付けられ、前記第一、第二基材上に伸びる面にほぼ平行な第一軸の回りを前記第一基材に対して回転する錠部分を有し、前記錠部分を閉め位置と引込み位置の間で移動させる本体構造と、
ｃ）前記第二基材上に取り付けられ、前記閉め位置において前記本体構造の前記錠部分と協働する固定構造と、
ｄ）キーがアクセスするための露出部分を有し、前記本体構造と前記固定構造のうちの何れか一方に取り付けられるシリンダー錠であって、前記本体構造と前記固定構造のうちの他方は錠肩部を備えた空洞を有し、前記錠肩部は前記錠部分が前記閉め位置にあり前記シリンダー錠が施錠された状態で前記シリンダー錠の横方向に置換え可能な錠要素を受けるようになされた前記シリンダー錠と、
を有し、
ｅ）錠構造が前記第一基材近傍の休止位置にあって前記固定構造から距離をあけて位置するように、前記第一基材から外向きに伸びる第二軸の回りを回転する前記取り付け構造上の回転取り付け部を前記本体構造が有し、前記第一、第二基材が前記本体構造に干渉されることなく互いに相対的に動くことができるようになされた錠。
【請求項２】
前記第一軸と前記第二軸が互いにほぼ直角をなして伸びる請求の範囲第１項に記載の錠。
【請求項３】
前記第一軸が前記第一基材の面に平行となるように、且つ前記第二軸が前記第一基材の前記面と直角をなすように前記錠を設置するための手段を含む請求の範囲第２項に記載の錠。
【請求項４】
前記錠が施錠位置にある時、前記シリンダー錠が前記第一基材の前記面に対し直角をなす軸を有する請求の範囲第３項に記載の錠。
【請求項５】
前記取り付け構造及び前記固定構造が各々の前記基材にねじで取り付けられ、それらのねじの頭は前記閉め位置において前記本体構造に覆われる請求の範囲第１項〜第４項の何れかに記載の錠。
【請求項６】
前記本体構造が、前記閉め位置において前記第一、第二基材に近接して位置する周縁部分を備えたケーシングを有し、前記シリンダー錠が前記固定構造上に取り付けられその外側部分を前記本体構造の対応する孔から突出させることによって収納されており、前記シリンダー錠が横方向に置換え可能な要素を作動させて、前記本体構造の空洞内のラッチ肩部の後ろに嵌める請求の範囲第１項〜第５項の何れかに記載の錠。
【請求項７】
前記本体構造が永続的に前記シリンダー錠を内蔵し、前記固定構造が前記閉め位置において前記シリンダー錠の横方向に置換え可能な要素と相互結合する錠肩部を備えた空洞構造を含む請求の範囲第１項〜第５項の何れかに記載の錠。
【請求項８】
前記本体構造が正面図において第一基材に対して直角をなす軸に沿って見た場合に略矩形を有し、前記閉め位置において前記本体構造の主要軸が水平に伸び、また前記本体構造が前記第一基材に対して直角をなす軸の回りを相対的に回転可能となるように取り付けられ、それにより前記錠が開放位置にある場合に前記本体構造の前記主要軸が垂直下向きに伸びるように前記本体構造が回転できるようになされた請求の範囲第１項〜第７項の何れかに記載の錠。
【発明の詳細な説明】
【技術分野】
【０００１】
本発明は掛け金錠に関する。
【背景技術】
【０００２】
掛け金錠は、閉位置で互いに近接する各フレーム要素を有するドアや一対のドア、門、蓋付きの囲いなどのための安全錠などの設置の際に必要となる。このような掛け金装置は、ドアフレームの一方に固定するための取り付けプレートを有し、それにより上を回転して固定ねじを覆うように回転可能なカバープレートが取り付けられている。自由端部分は通常、止め金ユニットと結合する。止め金ユニットは第二のドアフレームに固定されたそれ自体の取り付けプレートを有し、固定ねじは閉位置でカバープレートに覆われる。止め金は一般にカバープレートのスロットから突出し、それにより南京錠を容易に取り付けることができるようにされている。
【０００３】
適度に確実な設置が可能であるものの、ドアが開けられている場合に、カバープレートが自由に回転してしまい、また南京錠は一般に目障りであり体裁が悪いといった問題があった。こうした問題は工業上の適用に関しては受け入れられるものの、店や地域の一般的な商業設備など幅広く適用する場合、非常に確実に施錠でき且つ開錠した際に外観上優れたデザインはこれまで見られなかった。
【０００４】
更に、多くの南京錠は切断具の届き易い施錠要素を有し、そのため安全保障性に問題があった。
【発明の開示】
【発明が解決しようとする課題】
【０００５】
本発明は、以前の提案に対して新規で便利な代案を提案するものであって、掛け金型の錠にシリンダー錠を備えることにより課題を解決することを目的としている。
【課題を解決するための手段】
【０００６】
本発明の特徴の一つは、施錠位置において隣接する構造物に関連する第一、第二基材の間に取り付ける錠であって、その錠は、
ａ）前記第一基材に取り付けられる取り付け構造と、
ｂ）前記取り付け構造上に回転可能に取り付けられ、前記第一基材に対して閉め位置と自由位置の間で回転する本体構造と、
ｃ）前記第二基材上に取り付けられ、前記閉め位置において前記本体構造と協働する固定構造と、
ｄ）キーがアクセスするための露出部分を有し、前記本体構造と前記固定構造のうちの何れか一方に取り付けられるシリンダー錠であって、前記本体構造と前記固定構造のうちの他方は錠肩部を備えた空洞を有し、その錠肩部は錠構造が前記閉め位置にあり錠が施錠された状態でシリンダー錠の横方向に置換え可能な錠要素を受けるようになされたシリンダー錠と、
を有する。
【０００７】
好適な実施形態において、取り付け構造及び固定構造がねじで各基材に取り付けられ、それらのねじの頭は閉め位置において本体構造に覆われる。
【０００８】
ある実施形態では、閉め位置において第一、第二基材に近接して位置する周縁部分を備えたケーシングを本体構造が有し、シリンダー錠が固定構造上に取り付けられその外側部分を本体構造の対応する孔から突出させることによって収納されており、シリンダー錠が横方向に置換え可能な要素を作動させて、本体構造の空洞内のラッチ肩部と結合させる。その他の実施形態では配置が逆になっており、本体構造が永続的にシリンダー錠を内蔵し、また閉め位置においてシリンダー錠の横方向に置換え可能な要素と相互結合する錠肩部を備えた空洞構造を固定構造が含む。
【０００９】
好ましくは、本体構造がその通常の水平方向に突き出ている方向から垂直に向く方向に回転し開錠時にぶら下がることができるように、取り付け構造は水平軸回りの相対的な回転運動ができるようになされている。
【００１０】
更にその他の実施形態では、本体構造が上を覆うべき第一基材の前表面に対し９０度をなす表面に、複数のジョイント回転アームヒンジによって容易に取り付け構造を取り付けることが可能である。
【発明を実施するための最良の形態】
【００１１】
発明はその実施形態の例を示す添付された以下の図面を参照して、更に説明される。
まず、第一実施形態の図面１から図面１０までについて述べると、製品は、取り付けプレート１２、取り付けプレート１２上にヒンジピン１４により取り付けられる外部ケーシング１３、及びシリンダー錠１７を嵌め込むテーパ状のたる型本体１６を有する錠ユニット１５を主に備えた掛け金ユニット１１を備える。錠は、図４に一例が明示されたロックアーム１８を作動させ、このロックアーム１８が施錠位置において空洞１９内に嵌まり、ケーシング１３と関連するロック肩部２０と接触するようになされている。
【００１２】
図６には更に詳細に部材が示されている。図６に示された特に重要な点は、錠が左手と右手のどちらの形状でも取り付け可能であるように、対称的な構造となっていることである。従って、ロックアーム１８が最も高い位置に来るように錠を設置すると、ロックアーム１８はへり２０Ａを有するロック肩部２０の後ろに嵌まる。ケーシングは図６に示された形状、即ち左手ヒンジとなる。ケーシングを逆の右手ヒンジにした場合、ケーシング内が対称的な配置であるため図６に示すロック肩部２０Ａが最上位置に来る。同様に、取り付けプレート１２は鏡像の弓形孔２２Ａ、２２Ｂを有し、それらの何れもが挿入部あるいは保持部２３を収納でき、その挿入部あるいは保持部２３はそれらの孔の一つに横方向から嵌まる。保持リブ２４は対応する溝２５に嵌まり、それにより保持部の円形通路がピボットピン２１Ａまたは２１Ｂの関連するヘッド回りを囲むように延在する。ピボットピンは各々径が小さくなったネック部２６Ａ、２６Ｂを有し、それらのネック部は弓形のスロットの基部の狭い部分に嵌まる。図６に示された形状から、ピボットピン２１Ａ、２１Ｂは弓形のスロット各々に横方向から嵌められ、そして保持部２４が図６中上側のスロットに挿入され、取り付けプレートに対して上側のピボットピン２１Ａを保持するが、その回りを取り付けプレートが回転できるようになっている。下側のピボットピン２１Ｂは取り付けプレートのように拘束されておらず、ピボットピン２１Ｂと共に掛け金ユニット１１がピン２１Ａの水平軸の回りを回転し、図１０に示される位置をとることができるようになっている。
【００１３】
取り付けプレート１２が取り付けられるヒンジ胴部３０によりヒンジが形成されており、この胴部はケーシングに形成された円形断面のガイド部３１、３２と一直線上に配列されている。そしてヒンジピン１４が適切なプラスチック製の軸受３３を用いて挿入され、そのピンは止め輪３４により保持される。
【００１４】
図６には、取り付けプレート１２をフレーム、例えばスライドドアなどに取り付けるための一組の形状ねじ３５と、同様に錠ユニット１５の基部プレート１５Ａを固定するための一組のねじ３６が示されている。各カバープレート３７、３８が、ねじの露出した端部に設けられる。
【００１５】
ケーシングは通常、主ヒンジピン１４に定められる垂直軸の回りを回転するが、開位置（図９及び１０参照）に動かすと、下側のピン２１Ｂがその取り付けスロットに正確に沿って動くことができ、それによりヒンジ軸が水平となってケーシングが下方に向かって開位置まで回転し、そこで重力によって静止する。この位置で、ケーシングの後部に形成されたタブ４０Ｂが取り付けプレート１２の前面４１Ｂと相互結合することにより、ケーシングのピン２１Ａ回りの回転が確実に抑止されている。ケーシングは対称的に配置された第二タブ４０Ａを有し、また取り付けプレートは第二前縁４１Ａを備え、右手ヒンジで組み立てられた場合にこれらの部材が相互結合し、全開位置において回転を抑止し、錠が図９及び１０に特に図示されているように下向きにぶら下がるようになされている。
【００１６】
好適な実施形態では、キーを開位置で抜き取ることが出来ず、まず再度施錠位置に動かさなければならないシリンダー錠を用いている。
【００１７】
これにより誤った施錠操作を防ぐことができるため、安全保障上重要な要素である。
【００１８】
図面には、対応するケーシングの孔にぴったりと嵌まる錠ユニットのテーパ状楕円形胴部１５Ｂを備えた、優れた形状の製品が示されている。
【００１９】
図１１，１２には、錠が作動する面に対して例えば９０度の角度をなす基材の面に取り付けなければならないような特定の設置に適するように、基部プレートの取り付けに追加のヒンジ要素が設けられたその他の実施形態が示されている。ナックル継手４５は、ケーシング１３を第一実施形態の取り付けプレート１２に対応する基部プレート４７を有する取り付けあるいは基部ユニット４６に連結する。図１３は、更に複雑な設置に適するように二つの回転可能な連結部を備えた更に複雑なユニットを示す。本実施形態では二つのナックル継手５０、５１を使用する。
【００２０】
次に図１４〜２０について述べると、第一実施形態と同様の部材が使用されており、同様の部材には同様の参照番号が付されている。本実施形態では、シリンダー錠１７を嵌め込んだ外面１１４がケーシング１１３に設けられ、その輪郭が描かれている。錠は固定構造５５（図２０参照）の形状をとる「掛け金」と結合し、この固定構造５５は本実施形態の場合、ドアフレーム５７に一連のねじ（図示せず）で固定される略管状の基部プレート５６を有する。空洞５８はシリンダー錠１７に作動される錠要素５９を備え、錠要素５９は図１７に示される施錠位置に置き換えられ、基部プレートの空洞内で錠肩部５９の後ろに嵌まる。
【図面の簡単な説明】
【００２１】
【図１】固定あるいは施錠位置における第一実施形態の正面図である。
【図２】第一実施形態の側面図である。
【図３】第一実施形態の逆平面図である。
【図４】図１のＩＶ―ＩＶ線に沿った側面断面図である。
【図５】図１のＶ―Ｖ線に沿った逆平面断面図である。
【図６】第一実施形態の部材の分解組立図である。
【図７】各ドアフレームに取り付けられた施錠位置の第一実施形態を示す等角図である。
【図８】第一実施形態の施錠位置における背面図である。
【図９】図７に対応する、開錠位置における等角図である。
【図１０】図８に対応する、開錠位置における錠の背面を示す図である。
【図１１】閉位置における第二実施形態の等角図である。
【図１２】図１１に対応する、閉位置における取り付け時の異なる形状の構造を示す。
【図１３】その他の設置のための、二つのナックル継手の取り付けプレートを備えた第三実施形態を示す図である。
【図１４】第一実施形態と類似するが、外部ケーシング内にシリンダー錠を収納する第四実施形態の正面図である。
【図１５】第四実施形態の逆平面図である。
【図１６】図１４のＡ―Ａ線に沿った側面断面図である。
【図１７】図１４のＣ―Ｃ線に沿った平面断面図である。
【図１８】第四実施形態の部品の分解組立図である。
【図１９】ドアフレームに取り付けられた場合の閉位置における第四実施形態の等角図である。
【図２０】開位置における図１９の実施形態を示す図である。
【国際公開パンフレット】
2005506480.tif 000003
2005506480.tif 000004
2005506480.tif 000005
2005506480.tif 000006
2005506480.tif 000007
2005506480.tif 000008
2005506480.tif 000009
2005506480.tif 000010
2005506480.tif 000011
2005506480.tif 000012
2005506480.tif 000013
2005506480.tif 000014
2005506480.tif 000015
2005506480.tif 000016
2005506480.tif 000017
2005506480.tif 000018
2005506480.tif 000019
2005506480.tif 000020
【国際調査報告】
2005506480.tif 000021
2005506480.tif 000022
2005506480.tif 000023